(57)【要約】【課題】  ユーザーが見やすい画像情報を表示することができる携帯端末装置を提供する。【解決手段】画像を表示する表示部３を有する装置本体２と、装置本体２の姿勢を検出する姿勢検出部５と、第１のアルファ値を有する第１の画像情報、及び、第２のアルファ値を有する第２の画像情報を記憶する記憶部８と、記憶部８の第１及び第２の画像情報を表示部３に表示する制御部９と、を備え、制御部９は、姿勢検出部５により検出された姿勢に基づいて、第１の画像情報の第１のアルファ値および第２の画像情報の第２のアルファ値をそれぞれ変動させる携帯端末装置１である。【選択図】図２
2012129744.tif 000002
【特許請求の範囲】
【請求項１】
画像を表示する表示部を有する装置本体と、
前記装置本体の姿勢を検出する姿勢検出手段と、
第１のアルファ値を有する第１の画像情報、及び、第２のアルファ値を有する第２の画像情報を記憶する記憶手段と、
前記記憶手段の前記第１及び第２の画像情報を前記表示部に表示する制御手段と、を備え、
前記制御手段は、前記姿勢検出手段により検出された姿勢に基づいて、前記第１の画像情報の第１のアルファ値および第２の画像情報の第２のアルファ値をそれぞれ変動させる携帯端末装置。
【請求項２】
手振れを検出する手振れ検出手段を更に備え、
前記制御手段は、前記姿勢検出手段により検出された姿勢情報を作成する姿勢情報作成部と、前記手振れ検出手段により検出された手振れ情報を作成する手振れ情報作成部とを備えており、作成された姿勢情報及び手振れ情報をそれぞれ第１の画像情報及び第２の画像情報に書き込む請求項１に記載の携帯端末装置。
【発明の詳細な説明】
【技術分野】
【０００１】
本発明は、携帯端末装置（例えば、携帯電話機、ＰＤＡ、スマートフォンなど）に関する。
【背景技術】
【０００２】
近年、タッチパネル式の表示部を備える携帯端末装置が普及している（例えばi -phone （登録商標））。このような携帯端末装置に関する技術として、例えば特許文献１が知られている。この携帯端末装置では、ユーザーは、全ての操作をタッチパネルにタッチすることで行うことができる。そのため、テンキー等の物理的なボタンを携帯端末装置に設ける必要がなく、シンプルな外観が実現されている。また、この携帯端末装置では、タッチパネル上を指でなぞったり、指で軽く押したりという操作が基本となる、つまり、押す操作に加えてなぞるという操作が新たに加わっているため、押す操作が基本であった従来の携帯端末装置に比べて、斬新なユーザーインターフェイスが実現されている。
【０００３】
また、このような携帯端末装置にはカメラ機能が付加されているものもあり、タッチパネルによりカメラ機能の操作を行うために、様々なデザインのユーザーインターフェイスが実現されている。
【先行技術文献】
【特許文献】
【０００４】
【特許文献１】特開２０１０−２３３２１７号公報
【発明の概要】
【発明が解決しようとする課題】
【０００５】
ところで、このような携帯端末装置では、タッチ操作やカメラ操作をする際に、ユーザーが装置を縦や横に傾けて使用することがあるが、その時、装置のディスプレイ（表示部）に表示される画像情報をユーザーにとって見やすいものにする必要がある。
【０００６】
本発明は、上記問題を解決するためになされたものであって、ユーザーが見やすい画像情報を表示することができる携帯端末装置の提供を目的とする。
【課題を解決するための手段】
【０００７】
本発明は、上記課題を解決するための携帯端末装置であって、画像を表示する表示部を有する装置本体と、前記装置本体の姿勢を検出する姿勢検出手段と、第１のアルファ値を有する第１の画像情報、及び、第２のアルファ値を有する第２の画像情報を記憶する記憶手段と、前記記憶手段の前記第１及び第２の画像情報を前記表示部に表示する制御手段と、を備え、前記制御手段は、前記姿勢検出手段により検出された姿勢に基づいて、前記第１の画像情報の第１のアルファ値および第２の画像情報の第２のアルファ値をそれぞれ変動させる携帯端末装置である。
【０００８】
また、上記携帯端末装置は、手振れを検出する手振れ検出手段を更に備え、前記制御手段は、前記姿勢検出手段により検出された姿勢情報を作成する姿勢情報作成部と、前記手振れ検出手段により検出された手振れ情報を作成する手振れ情報作成部とを備えており、作成された姿勢情報及び手振れ情報をそれぞれ第１の画像情報及び第２の画像情報に書き込むことが好ましい。
【発明の効果】
【０００９】
本発明の携帯端末装置によれば、ユーザーが見やすい画像情報を表示することができる。
【図面の簡単な説明】
【００１０】
【図１】本発明の一実施形態に係る携帯端末装置の平面図であり、（ａ）は携帯端末装置の表面を示す図であり、（ｂ）は携帯端末装置の裏面を示す図である。
【図２】携帯端末装置のブロック図である。
【図３】表示部における表示の一例を示す図である。
【図４】表示部における表示の他の一例を示す図である。
【発明を実施するための形態】
【００１１】
以下、本発明の実施形態について添付図面を参照して説明する。図１は、本発明の一実施形態に係る携帯端末装置の平面図であり、（ａ）は携帯端末装置の表面を示す図であり、（ｂ）は携帯端末装置の裏面を示す図である。また、図２は、この携帯端末装置のブロック図である。
【００１２】
図１に示すように、携帯端末装置１は、装置本体２と、装置本体２の中央部に配置された表示部３と、表示部３の表面に配置されたタッチパネル１０と、装置本体２に固定されたレンズ４とを備えている。また、図２に示すように、携帯端末装置１は、装置本体２の内部に配置された姿勢検出部５、手振れ検出部６、撮像部７、記憶部８及び制御部９を備えている。またその他に、携帯端末装置１は、無線通信のためのアンテナ、音声通話のためのマイクやスピーカーなどを備えている（いずれも図示せず）。このような携帯端末装置１としては、特に限定されるものではなく、例えば、携帯電話機、ＰＤＡ、スマートフォンなどが挙げられる。
【００１３】
装置本体２としては、公知の携帯電話機やスマートフォンの本体を用いることができ、電源スイッチや各種ボタンを備えている。
【００１４】
表示部３としては、液晶ディスプレイや有機ＥＬディスプレイ等の公知の表示デバイスを用いることができ、その表示画面上に画像情報等を表示することができる。
【００１５】
タッチパネル１０は、ユーザーが表面をタッチすることにより入力操作を行える公知のタッチパネルであり、表示部３の上に重ねて配置されている。このタッチパネル１０としては、抵抗膜方式、表面弾性波方式、電磁誘導方式、静電容量方式等、公知の方式のものを用いることができる。
【００１６】
姿勢検出部５は、装置本体２の姿勢差（重力差）を検出する加速度センサなどの姿勢差検出デバイスである。また、加速度センサに代えて、鉛直方向センサ、モーションセンサ、振動センサでもよい。姿勢検出部５は、装置本体２が標準姿勢か下向き姿勢か上向き姿勢かなど複数の姿勢を検出する。
【００１７】
手振れ検出部６は、例えば、公知の加速度センサや角速度センサ（ジャイロセンサ）を用いることができ、手振れによって生じる装置本体２の揺れ大きさ（手振れ量）及び方向（手振れ方向）を検出する。
【００１８】
レンズ４は、被写体からの光を受光して結像するための公知のレンズである。
【００１９】
撮像部７は、レンズ４を通して入射する被写体像を撮像するものである。例えば、アナログ電気信号を出力するＣＣＤ（Charge Coupled Device）やＣＭＯＳ（Complementary Metal Oxide Semiconductor）等の撮像素子を含み、レンズ４を通して入射する被写体像を光電変換し、撮像素子からのアナログ電気信号をデジタル電気信号に変換して画像データを出力するものを用いることができる。
【００２０】
記憶部８には、表示部３に表示するための画像情報が格納（記憶）されている。格納される画像情報としては、背景画像を表示するための背景画像情報、及び、装置本体２の姿勢及び手振れを表示するための本体状態画像情報が格納されている。また、記憶部８に格納される画像情報はこれらに限定されるものではなく、表示部３に表示するための画像情報を適宜追加することができる。
【００２１】
図３及び図４は、表示部３における表示の一例を示す図である。本体状態画像情報によれば、図３及び図４に示すように、装置本体２の姿勢を表示するための姿勢インジケーター２１と、装置本体２の手振れ（揺れ）を表示するための手振れインジケーター２２とを表示することができる。姿勢インジケーター２１は、姿勢検出部５により検出された装置本体２の姿勢情報を示しており、例えば、装置本体２が標準姿勢に対して左側に傾斜している場合は、姿勢インジケーター２１上のスライダー２３が中央より左側に位置し、装置本体２が右側に傾斜している場合は、スライダー２３が中央より右側に位置するように表示される。また、手振れインジケーター２２は、手振れ検出手段により検出された装置本体２の手振れ（揺れ）情報を示しており、装置本体２が大きく揺れている場合は、手振れインジケーター２２上のバー２４が上方へ伸び、装置本体２が揺れていない場合は、バー２４が下方へ収縮するように表示される。
【００２２】
また、装置本体２の姿勢及び手振れを表示するための本体状態画像情報は、第１の画像情報と、第２の画像情報とに分類されている。第１の画像情報では、図３に示すように、姿勢インジケーター２１が表示部３の短辺に沿って配置され、手振れインジケーター２２が表示部３の長辺に沿って配置されている。一方、第２の画像情報では、図４に示すように、姿勢インジケーター２１が表示部３の長辺に沿って配置され、手振れインジケーター２２が表示部３の短辺に沿って配置されている。この第１の画像情報及び第２の画像情報は、装置本体２の姿勢に応じて表示される。
【００２３】
また、第１の画像情報及び第２の画像情報は、それぞれ、第１のアルファ値及び第２のアルファ値を有している。アルファ値とは、透明度を表す値であり、２値でも多値（例えば２５５段階）でも良い。２値の場合、例えば「０」を透明、「１」を不透明に対応させる。多値の場合、例えば、最小値の「０」を透明、最大値の「２５５」を不透明とし、中間値は各々の値に対応した透明度を与える。
【００２４】
制御部９は、記憶部８に記憶されている背景画像情報、及び、本体状態画像情報（第１の画像情報及び第２の画像情報）などを表示部３に表示することができる。この制御部９は、第１の画像情報及び第２の画像情報を表示部３に表示する場合は、アルファブレンドによる画像合成技術を用いて表示する。アルファブレンドとは、それぞれのアルファ値を有する画像情報を合成して（重ね合わせて）１つの画像として表示する技術である。したがって、制御部９は、第１のアルファ値を有する第１の画像情報及び第２のアルファ値を有する第２の画像情報を合成して表示部３に表示することができる。
【００２５】
また、制御部９は、姿勢検出部５により検出される装置本体２の姿勢に基づいて、第１のアルファ値及び第２のアルファ値を変動させることができる。例えば、装置本体２が標準姿勢より右側に傾いた場合には、姿勢検出部５の検出に基づいて、第１のアルファ値を大きくし、第２のアルファ値を小さくすること等が可能である。
【００２６】
本実施形態では、制御部９は、アルファ値を「０」及び「１」の２値とし、図１に示すように、装置本体２の長辺方向の軸線Ｘが水平方向Ｈに対して４５°〜１３５°の範囲内にある場合は、第１のアルファ値を「１」とし、第２のアルファ値を「０」としている。これにより、第１のアルファ値を「１」を有する第１の画像情報が透明で表示されることになり、一方、第２のアルファ値を「０」を有する第２の画像情報が不透明で表示されることになる。したがって、第１及び第２の画像情報をアルファブレンドで合成して表示部３に表示すると、結果的に図３に示すように、不透明の第１の画像情報のみが視認できるように表示され、透明の第２の画像情報は認識されない。また、これとは逆に、制御部９は、装置本体２の長辺方向の軸線Ｘが水平方向Ｈに対して０°〜４５°又は１３５°〜１８０°の範囲内にある場合は、第１のアルファ値を「０」とし、第２のアルファ値を「１」としている。これにより、第１のアルファ値を「０」を有する第１の画像情報が透明で表示されることになり、一方、第２のアルファ値を「１」を有する第２の画像情報が不透明で表示されることになる。したがって、第１及び第２の画像情報をアルファブレンドで合成して表示部３に表示すると、結果的に図４に示すように、透明の第１の画像情報が認識されず、不透明の第２の画像情報のみが視認できるように表示される。
【００２７】
制御部９は、その他に、撮像部７から出力された画像データに対して各種の画像処理を施すとともに、記録用や表示用に適した画像データに変換する処理を行う。例えば、撮影画像の画像データを記録する際、あるいは記録されている画像データを表示する際に、ＪＰＥＧ（Joint Photographic Experts Group）方式等に基づく画像データの圧縮処理や伸張処理を行う。そして、制御部９は、処理した画像データを、撮像画像情報として記憶部８に格納すると共に、表示部３に表示する。
【００２８】
また、制御部９は、姿勢情報作成部３１と、手振れ情報作成部３２とを備えている。姿勢情報作成部３１は、姿勢検出部５により検出された装置本体２の姿勢に基づいて、装置本体２の姿勢情報を作成し、作成した姿勢情報を第１の画像情報及び第２の画像情報に書き込むことができる。また、手振れ情報作成部３２は、手振れ検出部６により検出された装置本体２の揺れ（手振れ）に基づいて、装置本体２の手振れ情報を作成し、作成した手振れ情報を第１の画像情報及び第２の画像情報に書き込むことができる。書き込まれた姿勢情報および手振れ情報は、それぞれ、姿勢インジケーター２１および手振れインジケーター２２に表示される。
【００２９】
次に、上記のような構成を備える携帯端末装置１の作動について説明する。
【００３０】
まず、ユーザーが装置本体２を縦方向に向けた状態、すなわち、図１に示すように装置本体２の軸線Ｘが水平方向Ｈに対して４５°〜１３５°の範囲内にある状態で、レンズ４を被写体に向けると、レンズ４が集光した光を撮像部７が処理し、制御部９が撮像画像情報を記憶部８に格納すると共に、表示部３に表示する。
【００３１】
このとき、装置本体２の軸線Ｘが水平方向Ｈに対して４５°〜１３５°の範囲内にあるので、制御部９は、第１のアルファ値を「１」とし、第２のアルファ値を「０」とする。これにより、制御部９が記憶部８内の第１の画像情報及び第２の画像情報をアルファブレンドして表示部３に表示すると、図３に示すように、第１のアルファ値を「１」を有する第１の画像情報のみが視認できるように表示される。また、これと同時に、制御部９の姿勢情報作成部３１が、姿勢検出部５により検出された装置本体２の姿勢情報を第１の画像情報及び第２の画像情報に書き込む。また、同時に、制御部９の手振れ情報作成部３２が、手振れ検出部６により検出された装置本体２の手振れ情報を第１の画像情報及び第２の画像情報に書き込む。これにより、装置本体２の姿勢情報及び手振れ情報が、それぞれ、姿勢インジケーター２１および手振れインジケーター２２に表示される。
【００３２】
その後、ユーザーが装置本体２を横方向に向けると、すなわち、装置本体２の軸線Ｘが水平方向Ｈに対して０°〜４５°又は１３５°〜１８０°の範囲内にある状態にすると、制御部９は、第１のアルファ値を「０」とし、第２のアルファ値を「１」とする。これにより、制御部９が第１の画像情報及び第２の画像情報をアルファブレンドして表示部３に表示すると、図４に示すように、第２のアルファ値「１」を有する第２の画像情報のみが視認できるように表示される。また、これと同時に、制御部９の姿勢情報作成部３１及び手振れ情報作成部３２が、それぞれ、上述と同様に、姿勢検出部５及び手振れ検出部６の検出に基づいて、装置本体２の姿勢情報及び手振れ情報を、第１の画像情報及び第２の画像情報に書き込む。これにより、装置本体２の姿勢情報及び手振れ情報が、それぞれ、姿勢インジケーター２１および手振れインジケーター２２に表示される。
【００３３】
上記の実施形態に係る携帯端末装置１によれば、姿勢検出部５により検出された姿勢に基づいて、第１の画像情報の第１のアルファ値および第２の画像情報の第２のアルファ値をそれぞれ変動させるので、装置本体２の姿勢に応じて表示部３に表示される画像情報をユーザーが見やすくなる。すなわち、本発明では、アルファ値の変動により第１の画像情報と第２の画像情報とを切り替え表示できるので、１つの画像情報により表示を切り替えるよりも、ユーザーにとって画像情報が見やすくなる。例えば、図３に示す画像から図４に示す画像へ表示を変えるときに、１つの画像情報により表示されているものを変動させると、図３で横方向に配置された姿勢インジケーター２１が図４で縦方向の配置に変わるときに、この姿勢インジケーター２１が表示部３を斜め方向に横切ってしまい、画面がちらついてユーザーが画面を見難いと感じることがある。しかしながら、本発明では、装置本体２の姿勢に基づいて第１のアルファ値および第２のアルファ値をそれぞれ変動させるので、上述のように姿勢インジケーター２１が表示部３を斜めに横切るような現象がなく、ユーザーが見やすい画像情報を表示することができる。
【００３４】
以上、本発明の一実施形態について説明したが、本発明の具体的な態様は上記実施形態に限定されるものではない。
【００３５】
例えば、上記実施形態では、アルファ値を「０」と「１」の２値として変動させていたが、これに限定されず、「０」〜「２５５」の多値として変動させてもよい。
【符号の説明】
【００３６】
１    携帯端末装置
２    装置本体
３    表示部
４    レンズ
５    姿勢検出部
６    手振れ検出部
７    撮像部
８    記憶部
９    制御部
１０  タッチパネル
２１  姿勢インジケーター
２２  手振れインジケーター
３１  姿勢情報作成部
３２  手振れ情報作成部
【図１】
2012129744.tif 000003
【図２】
2012129744.tif 000004
【図３】
2012129744.tif 000005
【図４】
2012129744.tif 000006